(57)【要約】  データ処理デバイス９〜１１が断続的に接続されるデータ処理システム１とデータ処理デバイス９〜１１を同期させる方法は、可変データに基づいて第１の状況を決定するステップを含んでいる。前記第１の状況よりも長い期間に渡って有効な第２の状況は、他のデータに基づいて決定される。前記第１の状況及び前記第２の状況の双方は、同期化プロセスを制御するために用いられ、当該制御の間に、データが前記データ処理デバイス９〜１１と前記データ処理システム１との間で通信されて、前記データ処理デバイス９〜１１及び前記データ処理システム１のうち少なくとも１つがデータのターゲットセットを取得する。前記データのターゲットセットは、その構成が前記第１の状況及び前記第２の状況の双方に基づくような態様で決定される。
2011504335.tif 000002
【特許請求の範囲】
【請求項１】
データ処理デバイスが断続的に接続されるデータ処理システムと前記データ処理デバイスを同期させる方法であって、
可変データに基づいて第１の状況を決定するステップと、
他のデータに基づいて、前記第１の状況よりも長い期間に渡って有効な第２の状況を決定するステップと、
前記第１の状況及び前記第２の状況の双方を用いて同期化プロセスを制御するステップとを有し、当該制御の間に、データが前記データ処理デバイスと前記データ処理システムとの間で通信されて、前記データ処理デバイス及び前記データ処理システムのうち少なくとも１つがデータのターゲットセットを取得し、
前記データのターゲットセットは、その構成が前記第１の状況及び前記第２の状況の双方に基づくような態様で決定される、方法。
【請求項２】
前記第１の状況は、少なくとも１つのセンサからの測定データに基づいて連続的に更新された少なくとも１つのパラメータ値のセットを含む、請求項１に記載の方法。
【請求項３】
前記第１の状況は、
前記データ処理デバイスに関連付けられたユーザの状態、
前記データ処理デバイスに関連付けられたユーザの環境の状態、
前記データ処理デバイスの状態、
前記データ処理デバイスの環境の状態、
前記データ処理システムの状態、
前記データ処理デバイスと前記データ処理システムとの間の接続の特性、及び、
前記データ処理システムの環境の状態のうち少なくとも１つの情報を含む、請求項１又は２に記載の方法。
【請求項４】
記録されたデータに少なくとも部分的に基づいて前記第２の状況を決定するステップを含む、請求項１〜３のうちいずれか一項に記載の方法。
【請求項５】
前記記録されたデータで記録された時間情報及びターゲット時間情報に基づいて前記他のデータを選択するステップを含む、請求項１〜４のうちいずれか一項に記載の方法。
【請求項６】
前記データ処理デバイスのユーザの識別子を受信するステップと、
前記ユーザの識別子に関連付けられたデータに少なくとも部分的に基づいて前記第２の状況を決定するステップとを含む、請求項１〜５のうちいずれか一項に記載の方法。
【請求項７】
前記第１の状況及び前記第２の状況の双方に依存して、前記データ処理デバイスと前記データ処理システムとの間で通信されたデータを転送するプロセスを制御するステップを含む、請求項１〜６のうちいずれか一項に記載の方法。
【請求項８】
前記第１の状況及び前記第２の状況の双方に依存して、前記データ処理システムからのデータ転送のために利用可能な複数のデバイスの中から前記データ処理デバイスを選択するステップを含む、請求項７に記載の方法。
【請求項９】
前記第１の状況及び前記第２の状況の双方に依存して、通信されたデータを転送するための少なくとも時点を決定するステップを含む、請求項７又は請求項８に記載の方法。
【請求項１０】
データ処理デバイスが断続的に接続されるデータ処理システムと前記データ処理デバイスとの同期化プロセスを制御する制御システムであって、
可変データを取得する入力部と、
他のデータを取得する入力部とを含み、
当該制御システムは、前記可変データに基づいて第１の状況を決定し、
当該制御システムは、前記他のデータに基づいて、前記第１の状況よりも長い期間に渡って有効な第２の状況を決定し、
当該制御システムは、前記第１の状況及び前記第２の状況の双方を用いて同期化プロセスを制御し、当該制御の間に、データが前記データ処理デバイスと前記データ処理システムとの間で通信されて、前記データ処理デバイス及び前記データ処理システムのうち少なくとも１つがデータのターゲットセットを得るように構成され、
当該制御システムは、前記データのターゲットセットの構成が前記第１の状況及び前記第２の状況の双方に基づくような態様で前記データのターゲットセットが決定されるように構成される、制御システム。
【請求項１１】
請求項１〜９のうちいずれか一項に記載の方法を実行するように構成された、請求項１０に記載の制御システム。
【請求項１２】
マシン読み取り可能な媒体に組み込まれたときに、情報処理能力をもつシステムが請求項１〜９のうちいずれか一項に記載の方法を実行することを可能にする命令のセットを含む、コンピュータプログラム。
【発明の詳細な説明】
【技術分野】
【０００１】
本発明は、データ処理デバイスが断続的に接続するデータ処理システムにデータ処理デバイスを同期させる方法に関する。
【０００２】
また、本発明は、データ処理デバイスが断続的に接続するデータ処理システムとデータ処理デバイスとの同期のプロセスを制御するための制御システムに関する。
【０００３】
また、本発明は、コンピュータプログラムに関する。
【背景技術】
【０００４】
国際公開第２００５／１１９４６３号は、第１の格納デバイスと第１の格納デバイスが選択的に接続可能な第２の格納デバイスとの間でコンテンツを転送する方法を開示している。既知の方法は、転送を必要とするコンテンツに対して優先順位を決定するステップと、決定された優先順位に従ってコンテンツを転送するステップとを含んでいる。転送開始ユニットは、転送が生ずる時を検出し、転送プロセスを開始する。前記ユニットは、デバイス間で転送される必要のあるデータのセットを構成し始める"転送データセット生成"ユニットをもたらす。転送方針制御ユニットは、前記ユニットにより生成されたデータセットを特定の優先順位に分類する。特定の転送方針は、デバイス又はユーザの状況、及び、或る期間に渡って（ユーザによる）システムの利用をロギングすることにより得られた格納された利用データに基づいて選択され得る。状況（例えば、デバイスの環境）に関する情報は、外部ユニットにより、又は、ユーザがデバイスを次に使用しようとする場所を手動で示すことにより提供される。サブシステムは、この機能を実現するために必要とされる状況情報を導出するために感知データ及び他の情報を取得する。
【０００５】
既知のシステムの機構の結果としては、特に転送のプロセスが中断されずデータの順序が効果を持たない場合に、不適切なデータが転送され得る。
【発明の概要】
【発明が解決しようとする課題】
【０００６】
本発明の目的は、データ処理デバイスが効果的な態様で少なくとも後の使用に不可欠なデータを取得することにより、データ処理デバイスをデータ処理システムと同期させる別の方法及びシステムを提供することにある。
【課題を解決するための手段】
【０００７】
この目的は、本発明による方法により達成され、本方法は、可変データに基づいて第１の状況を決定するステップと、他のデータに基づいて、前記第１の状況よりも長い期間に渡って有効な第２の状況を決定するステップと、前記第１の状況及び前記第２の状況の双方を用いて同期化プロセスを制御するステップとを有し、当該制御の間に、データがデータ処理デバイスとデータ処理システムとの間で通信されて、前記データ処理デバイス及び前記データ処理システムのうち少なくとも１つがデータのターゲットセットを取得し、前記データのターゲットセットは、その構成が前記第１の状況及び前記第２の状況の双方に基づくような態様で決定される。
【０００８】
データのターゲットセットの構成が第１の状況及び第２の状況の双方に基づくような態様でデータのセットのターゲット形式を決定することにより、前記構成は、関連しそうなデータだけのセットがデータ処理デバイスの同期化で使用するために集められるように調整され得る。第１の状況及び第２の状況の双方が用いられ、第２の状況が第１の状況よりも長い期間に渡って有効であるので、制約を計画すること、及び、環境を急速に変えることの双方が、同期されるべきデータのセットの構成に影響を与える。これは、関連データだけが含まれる可能性を増大させる。更に、これは、第２の状況に依存して長い時間帯に渡って集められるデータのセットの効果的な短期間適合を可能にさせる。
【０００９】
本方法の一実施形態において、第１の状況は、少なくとも１つのセンサからの測定データに基づいて連続的に更新された少なくとも１つのパラメータ値のセットを含む。
【００１０】
自動化された態様で現在の状況に維持され得る適切な第１の短期間の状況が用いられるという効果がある。
【００１１】
一実施形態において、第１の状況は、データ処理デバイスに関連付けられたユーザの状態、データ処理デバイスに関連付けられたユーザの環境の状態、データ処理デバイスの状態、データ処理デバイスの環境の状態、データ処理システムの状態、データ処理デバイスとデータ処理システムとの間の接続の特性、及び、データ処理システムの環境の状態のうち少なくとも１つの情報を含む。
【００１２】
ユーザの状態の情報を用いる効果は、ユーザの気分（mood）又は調子（condition）を決定し、その決定から、どのデータがデータ処理デバイスの使用中に呼び出されやすいかを推測することができることである。データ処理デバイスの状態の情報を用いる効果は、データ処理デバイスがどのデータを処理することができるかを評価することができることである。データ処理システムの状態又はデータ処理システムの環境の状態の情報を用いる効果は、データ処理デバイスとデータ処理システムとの間の接続が行われるか又は行われそうかについての環境を評価し、その結果、その時のデータ転送の可能性及びその要求の可能性が予測され得ることである。データ処理デバイスとデータ処理システムとの間の接続の特性の情報を用いる効果は、例えば利用可能な時間内に利用可能な帯域幅を用いて転送され得るデータのセットの構成を調整することである。
【００１３】
本方法の一実施形態は、記録されたデータの少なくとも部分的に基づいて第２の状況を決定するステップを含む。
【００１４】
記録されたデータは、急速に変化する性質（nature）になることが少なく、従って、長期間の状況を決定するのに適している。
【００１５】
本方法の一実施形態は、記録されたデータで記録された時間情報及びターゲット時間情報に基づいて他のデータを選択するステップを含む。
【００１６】
データのセットのターゲット形式の構成を決定するために、履歴データ及び計画された将来のイベントに関するデータを用いることができるという効果がある。
【００１７】
一実施形態は、データ処理デバイスのユーザの識別子を受信するステップと、前記ユーザの識別子に関連付けられたデータに少なくとも部分的に基づいて第２の状況を決定するステップとを含む。
【００１８】
1人のユーザが複数のデバイスを用いて同一タイプのデータを処理し得るという事実を考慮することができるという効果がある（例えば、ポータブルオーディオプレーヤ又は彼の携帯電話機のいずれかでの音楽の再生）。特に、第２の状況は、これが他のデバイスのユーザという立場でユーザに関連するデータにも基づく場合には、データ処理デバイスのユーザのニーズにより関連する。
【００１９】
本方法の一実施形態は、第１の状況及び第２の状況の双方に依存して、データ処理デバイスとデータ処理システムとの間で通信されたデータを転送するプロセスを制御するステップを含む。
【００２０】
斯様なセットの転送が依然として実行可能でない環境においても、データ処理デバイスがデータのセットのコピーを受信するための前記データのセットを準備することができるという効果がある。
【００２１】
変形例は、第１の状況及び第２の状況の双方に依存して、データ処理システムからのデータの転送のために利用可能な複数のデバイスの中からデータ処理デバイスを選択するステップを含む。
【００２２】
この変形例は、ユーザがデータ処理システムと断続的に接続する種々のデバイスをもつという状況を考慮するものであり、第１の状況により決定された現在の環境及び第２の状況により決定された長期間の環境を考慮して、特定のデータ処理デバイスへの転送が可能であるか又は望ましいものであるかを決定する。
【００２３】
他の変形例は、第１の状況及び第２の状況の双方に依存して、通信されたデータを転送する少なくとも時点を決定するステップを含む。
【００２４】
この変形例は、データ処理デバイスが同期化に適した状況にないという状況を考慮する。長期間の状況は、転送が適切である間の間隔を含むパターンを決定するのに適している。短期間の状況は、現在の時点が斯様な間隔にあるかどうかを決定するのに適している。
【００２５】
他の態様によれば、本発明の制御システムは、可変データを取得する入力部と他のデータを取得する入力部とを含み、当該制御システムは、前記可変データに基づいて第１の状況を決定するように構成され、当該制御システムは、他のデータに基づいて、前記第１の状況よりも長い期間に渡って有効な第２の状況を決定するように構成され、当該制御システムは、前記第１の状況及び前記第２の状況の双方を用いて同期化プロセスを制御し、当該制御の間に、データがデータ処理デバイスとデータ処理システムとの間で通信されて、データ処理デバイス及びデータ処理システムのうち少なくとも１つがデータのターゲットセットを得るように構成され、当該制御システムは、前記データのターゲットセットの構成が前記第１の状況及び前記第２の状況の双方に基づくような態様で前記データのターゲットセットが決定されるように構成される。
【００２６】
制御システムは、適切なデータが同期化のために用いられるという効果的な態様を確保することが可能である。
【００２７】
一実施形態において、制御システムは、本発明による方法を実行するように構成される。
【００２８】
本発明の他の態様によれば、マシン読み取り可能な媒体に組み込まれたときに、情報処理能力をもつシステムが本発明の方法を実行することを可能にする命令のセットを含むコンピュータプログラムが提供される。
【００２９】
本発明は、添付図面を参照して更に詳細に説明されるだろう。
【図面の簡単な説明】
【００３０】
【図１】ユーザのボディエリアネットワーク（body area network）に含まれるデバイスが導入されたホームエリアネットワークを概略的な態様で示している。
【図２】ボディエリアネットワークに含まれるデバイスを、ホームエリアネットワーク内のホームサーバと同期させる方法を示している。
【発明を実施するための形態】
【００３１】
同期化方法の変形例を説明するために例の態様で用いられた設定において、ホームサーバ１は、ネットワークインタフェース３を介してホームエリアネットワーク２に接続されている。ホームエリアネットワーク２は、IEEE408.11x、USB、Firewire、WiMax、Zigbee等を含むいずれかの既知のスタンダードに基づき得る。示された実施形態において、これは無線ネットワークである。これに接続されたデバイスは、例えば、UPnP（Universal Plug and Play）プロトコルを用いて通信され得る。
【００３２】
ホームサーバ１は、ソフトウェアを実行するためのデータ処理ユニット４及びメインメモリ５を含んでいる。これは、オペレーティングデータを記録し、オーディオファイル、ビデオファイル、個人情報管理アプリケーションにより用いられたファイル、特定のユーザにより交換されたＥメール、データ処理デバイスのオペレーティングシステムで使用する斯様なユーザのプロファイル等のようなコンテンツデータを格納するための大容量記憶デバイス６を更に含んでいる。
【００３３】
他の実施形態において、ホームサーバ１は、他のネットワーク化されたデバイス、例えばインターネットに接続されたサーバ上に格納されたデータへのアクセス権を追加的にもつ。
【００３４】
センサ８は、少なくともホームサーバ１のローカル環境、好ましくはホームエリアネットワーク２が作動している環境を監視するように設けられる。監視されるべきパラメータの例は、温度、照明、湿度、可視性等である。
【００３５】
家に入るユーザは、複数のデバイスを持ち運ぶことができる。例により、携帯電話機９（更に詳細には示さない）、ポータブルオーディオプレーヤ１０及びパーソナルヘルスモニタ１１が示される。
【００３６】
パーソナルヘルスモニタ１１は、デバイスを身につけるユーザの身体的状態を示すパラメータを測定するボディセンサ１２を含んでいる。これは、血圧、体温又は同種のものを測定し得る。パーソナルヘルスモニタ１１は、ホームエリアネットワーク２への接続を確立するためのデータプロセッサ１３、（固体メモリデバイス等の）メモリ１４及びネットワークインタフェース１５を更に含んでいる。
【００３７】
ポータブルオーディオプレーヤ１０は、同様のネットワークデバイス１６、並びに、中央処理ユニット１７及びメインメモリ１８を含んでいる。オーディオトラックを表すデータは、大容量記憶デバイス１９、例えば固体メモリデバイス又はハードディスクドライブユニットに格納される。デジタル信号プロセッサ２０並びにオーディオ増幅器２１及びイヤホン２２は、大容量記憶デバイス６に格納されたデータをレンダリングするためのシステムを形成する。ユーザは、ユーザインタフェース２３、例えばタッチスクリーンデバイスを介してコマンドを入力し得る。内部センサ２４は、ポータブルオーディオプレーヤ１０の状態、例えば、そのバッテリ（図示省略）の充電状態を監視する。また、オーディオプレーヤ１０は、外部の状態、例えば、温度、照明状態、動きを監視するためのセンサ２５を含んでいる。
【００３８】
一実施形態において、ポータブルオーディオプレーヤ１０は、そのユーザに対してレンダリングされたオーディオトラックの履歴を含む、各ユーザのためのユーザプロファイルを保持する。オーディオトラックは、好ましくはユーザに関連付けられたプレイリスト内に配列される。プレイリストは、ホームサーバ１から取得される。これは、ポータブルオーディオプレーヤ１０が外部データに基づいて自動的に生成された新たなプレイリストを受信することを可能にする。また、これは、ユーザが、オーディオトラックを再生するためにポータブルオーディオプレーヤ１０又は携帯電話機９のいずれかを用いるときに彼が自由に使うことができる同一のプレイリストをもつことを可能にする。
【００３９】
図２を参照すると、ホームサーバ１は、ユーザのデバイスを、ホームサーバ１上で保持されたデータと同期させるためのソフトウェアを実行する。最初に（ステップ２６）、ホームサーバ１は、１又はそれ以上のユーザのデバイスとホームエリアネットワーク２との間の接続を確立すると、これらのユーザのデバイスの存在を見つける。UPnPプロトコルは、例えば、ホームサーバがユーザのデバイスを見つけるか、又は、ユーザのデバイスがこれらの存在を知らせることを可能にする。他の実施形態において、ポータブルオーディオプレーヤ１０は、ドッキングステーション又はクレードル（図示省略）内に置かれる。この場合において、ホームサーバ１は、ポータブルオーディオプレーヤ１０がドッキングステーションに配置されたことを検出する。
【００４０】
次のステップ２７において、ホームサーバ１は、携帯電話機９、パーソナルヘルスモニタ１１及びポータブルオーディオプレーヤ１０と通信して、これらのデバイスに現在ログインされているユーザの識別子を取得する。他の実施形態において、このステップ２７は、デバイスの全ての潜在的なユーザの識別子を取得することを必要とし、その結果、全ての彼らのプレイリストがダウンロードされ、全ての彼らのプロファイルが更新される。
【００４１】
プレイリストを準備するために、ホームサーバ１は、大容量記憶デバイス６に記録されたデータに少なくとも部分的に基づいて長期間の状況を決定する（ステップ２８）。長期間の状況は、これがユーザのダイアリ、ユーザのやることリスト、ユーザの記録されたリスニング習慣（再生数、お気に入り等）のうち少なくとも１つの解析を有する点において、ユーザの識別子に関連付けられたデータに基づいている。長期間の状況は、ターゲットデバイス又は複数のデバイスに関連付けられた不変データ、例えば、ポータブルオーディオプレーヤの大容量記憶デバイス１９のキャパシティ、並びに、デジタル信号プロセッサ２０及びオーディオ増幅器２１等によりレンダリングされたサウンドの忠実性等に基づいて更に決定される。
【００４２】
一実施形態におけるユーザの記録されたリスニング習慣は、時間情報と一緒に記録されたデータ、例えば、トラックが、その日のどの時間に聞かれるか、その週のどの日に聞かれるか、又は、その年のどの季節の間に聞かれるかの情報を含む。また、ユーザのやることリスト及びダイアリも、時間情報と一緒に記録された情報を有するが、この時間は、将来のイベントに関連する。特に、これは、ユーザが或る将来の時点に関与する活動を識別するだろう。例えば、ダイアリプレイリストが準備された場合には、ターゲット時間情報（ターゲット時間は来るべき日に対応する時間間隔である）が、記録されたデータから適切なデータを選択するために用いられ、そして関連性のある長期間の状況を決定するために解析される。
【００４３】
長期間の状況は、ベーシックプレイリストを準備するために用いられる（ステップ２９）。他の変形例において、ステップ２８，２９は、ユーザのデバイスが検出される前であってもバックグラウンドで実行される。実際には、複数の異なるユーザデバイスのそれぞれのベーシックプレイリストは、ホームサーバ１にとって都合の良い時間、例えば夜にバックグラウンドで準備され得る。
【００４４】
また、ホームサーバ１は、短期間の状況を決定する（ステップ３０）。短期間の状況は、センサ８，１２，２４，２５のうち少なくとも１つからの測定データに基づいて連続的に更新されたパラメータ値の現在の値を含む。
【００４５】
短期間の状況は、誰のプレイリストが供給されるべきであるかに関するユーザの状態の情報を含む。ユーザの状態は、ボディセンサ１２からのデータ、例えば、ユーザの体温、血圧又は心拍の解析に基づいており、ユーザがイライラしているかどうか及びそれ故に急いでいそうかどうか等のようなユーザの気分を決定する。また、ユーザの状態は、ユーザの位置を含んでおり、これは、（ユーザにより持ち運ばれる可能性のある）携帯電話機９からのデータを用いて決定され得る。
【００４６】
短期間の状況は、また又は代わりに、例えば、ローカル環境を監視するためのセンサ８からのデータを用いて、ユーザ、ユーザのデバイス及び／又はホームサーバ１の環境の状態に基づいてもよい。
【００４７】
短期間の状況は、また又は代わりに、ポータブルオーディオプレーヤ１０の状態、例えば、内部センサ２４により決定されたバッテリの充電の状態に基づいてもよい。完全に充電された状態は、例えば、ユーザがデバイスとともに離れようとすること、又は、より長いプレイリストが再生されることを示してもよい。短期間の状況は、また又は代わりに、ユーザにより用いられた他のデバイスの状態に基づいてもよい。例えば、ユーザが、携帯電話機９を充電器に置いた場合には、彼は、近い将来においてホームエリアネットワーク２を離れそうにない。
【００４８】
ホームサーバ１は、オーディオトラックをベーシックプレイリストに追加及び／又はベーシックプレイリストから除去することにより、短期間の状況に基づいて前のステップ２９において生成されたベーシックプレイリストを変更する（ステップ３１）。結果として、プレイリストは、その構成が、決定された（比較的不変な）長期間の状況と短期間の可変な状況との双方に基づくように準備される。プレイリストの構成は、例えば、これらが、大容量記憶デバイス６に格納されるか、又は、ネットワーク接続を通ってホームサーバ１に対して利用可能であるので、プレイリストに含めるためのホームサーバ１で利用可能なオーディオトラックに基づいている。同期化の少なくともこの態様（プレイリストの準備）は、それ故、短期間の状況及び長期間の状況の双方を用いて制御される。
【００４９】
同期化プロセスの他の態様は、図２に示されたように、短期間の状況及び長期間の状況の双方に基づいて制御されてもよい。特に、ホームサーバ１は、短期間の状況及び長期間の状況の双方に基づいて、準備されたプレイリストを転送するプロセスを制御する。一方では、これは、短期間の状況及び長期間の状況の双方に依存して、準備されたデータのセットの転送を開始（又は再開）するための少なくとも時点を決定する。短期間の状況及び長期間の状況は、転送を実行するための、及び／又は、既に開始された転送を完了するための十分な時間がある時を決定するために用いられる。他方では、ホームサーバ１は、どのユーザのデバイスが短期間の状況及び長期間の状況に基づいて同期化されるべきかを決定する（ステップ３３）。これは、例えば、プレイリストが準備された日にポータブルオーディオプレーヤが用いられそうにないが、携帯電話機９が用いられることを推定し得る。これは、プレイリストの構成とプレイリストのためのターゲットデバイスとの双方に影響を及ぼすだろう。
【００５０】
最後に、プレイリストは、適切に決定された時点でターゲットデバイスに転送される（ステップ３４）。
【００５１】
前述された実施形態は、本発明を限定するよりはむしろ例示であり、当業者は、特許請求の範囲から逸脱することなく、多くの代替実施形態を設計することができることに留意されたい。特許請求の範囲において、括弧内の如何なる参照符号も特許請求の範囲を限定するものとして考慮されるべきではない。"有する"の使用及びその活用は、特許請求の範囲に記載されたもの以外の要素又はステップの存在を除外するものではない。要素の単数表記は、斯様な要素の複数の存在を除外するものではない。本発明は、幾つかの別個の要素を有するハードウェアにより、及び、適切にプログラムされたコンピュータにより実行されてもよい。幾つかの手段を列挙するデバイスに係る請求項において、これらの手段の幾つかは、一又は同一アイテムのハードウェアにより具現されてもよい。特定の手段が相互に異なる従属請求項に記載されるという単なる事実は、これらの手段の組み合わせが有利に用いられ得ないことを示すものではない。
【００５２】
同期化は、データのセットを準備して、ホームサーバからポータブルオーディオプレーヤ１０に転送する方法として述べられたが、これは、ホームサーバ１を例えばパーソナルヘルスモニタ１１に同期させるためにデータのセットを準備して転送するために同等に用いられてもよい。他の実施形態において、ホームエリアネットワーク２内の複数のデバイスのそれぞれは、ポータブルオーディオプレーヤ１０に転送されたときに、オーディオプレーヤがターゲット形式でデータのセットを取得することをもたらす同期化データを供給する。事実上、デバイスのネットワークは、ポータブルオーディオプレーヤ１０が同期されるデータ処理システムを構成する。
【図１】
2011504335.tif 000003
【図２】
2011504335.tif 000004
【国際調査報告】
2011504335.tif 000005
2011504335.tif 000006
2011504335.tif 000007